(57)【要約】【課題】バックライト駆動回路を新たに設計する場合でも、全てを初めから設計し直すのではなく、共通化を図ることでコストを下げる。【解決手段】本発明に係る液晶テレビジョン１００では、液晶ディスプレイ８０をバックライトユニット３０で背面から照らすことで画像を表示する。バックライトユニット３０は、バックライト駆動回路１０から供給された電源電圧でバックライト２０を点灯させる。本発明に係るバックライト駆動回路１０では、バックライト駆動回路１０を第一の基板と第二の基板とに分割させ、接続用スロットを用いて電気的に接続させている。【選択図】図３
2008287908.tif 000002
【特許請求の範囲】
【請求項１】
バックライトを点灯させるバックライト駆動回路において、
前記バックライトに電源電圧を供給するインバータトランスユニット、及び前記バックライトの電圧又は電流に基づいてフィードバック信号を出力するフィードバック回路とを実装した第一の基板と、
前記フィードバック信号に基づいて、前記インバータトランスユニットの駆動を制御する駆動信号を出力する制御部を実装した第二の基板とを有し、
前記第一の基板は、前記第二の基板との間で前記フィードバック信号と前記駆動信号とを受け渡す信号接続手段を有し、
前記第一の基板と前記第二の基板とは、前記信号接続手段を用いて電気的に接続されることを特徴とするバックライト駆動回路。
【請求項２】
前記信号接続手段は、接続用スロットであって、
前記第二の基板は、前記接続用スロットと接続して前記フィードバック信号と前記駆動信号とを受け渡す接続用端子を備えることを特徴とする請求項１に記載のバックライト駆動回路。
【請求項３】
前記制御部は、
前記フィードバック信号に基づいて、前記駆動信号を出力する制御ＩＣと、
前記制御ＩＣの入出力パラメータを調整する調整回路とを備えることを特徴とする請求項２に記載のバックライト駆動回路。
【請求項４】
チューナモジュールが受信した所要のテレビジョン放送信号に基づいて画像を表示する液晶ディスプレイと、前記液晶ディスプレイを背面から照らすバックライトと、前記液晶ディスプレイの背面に配置されるとともに、前記バックライトを点灯させるバックライト駆動回路とを備える液晶テレビジョンにおいて、
前記バックライトに電源電圧を供給する他励式のインバータトランスユニット、及び前記バックライトの電圧又は電流に基づいてフィードバック信号を出力するフィードバック回路とを実装した第一の基板と、
前記フィードバック信号に基づいて、前記インバータトランスユニットの駆動を制御する駆動信号を出力する制御ＩＣ、及び前記制御ＩＣの入出力パラメータを調整する調整回路とを実装した第二の基板とを有し、
前記第一の基板は、前記第二の基板との間で前記フィードバック信号と前記駆動信号とを受け渡す接続用スロットを備え、
前記第二の基板は、一端に前記フィードバック信号と前記駆動信号とを受け渡す接続用端子を備え、前記接続用スロットに前記接続用端子を接続させて前記第一の基板との間で前記フィードバック信号と前記駆動信号とを受け渡すことを特徴とする液晶テレビジョン。
【発明の詳細な説明】
【技術分野】
【０００１】
本発明は、バックライトを駆動するバックライト駆動回路に関するものである。
【背景技術】
【０００２】
従来、液晶ディスプレイでは、液晶パネルの背面に配置されたバックライトをバックライト駆動回路から供給された電源電圧により点灯して映像を表示する。図４に示すように、バックライト駆動回路１は、インバータトランスユニット２と、フィードバック回路３と、制御部４とを備えている。バックライト駆動回路１では、入力端子Ｖｉｎに電源電圧が供給されると、まず、制御部４から出力される駆動信号によりインバータトランスユニット２を発振させる。これにより、トランスＴの二次巻線Ｗ２に電源電圧が印加されバックライトＬが点灯する。（例えば、特許文献１参照。）。
【０００３】
また、バックライト駆動回路では、フィードバック回路３から出力されるフィードバック信号を制御部４が受信して、インバータトランスユニット２の発振を制御する。フィードバック回路３は、バックライトの電圧の強さや電流の強さを検出して、フィードバック信号を制御部４に送信する。制御部４はＩＣ等が実装され、フィードバック信号を受信して発振を制御する（例えば、特許文献２，特許文献３参照。）。
【特許文献１】特開２００４−５４２９４
【特許文献２】特開平１１−２２４７７６
【特許文献３】特開平１１−２１３９２１
【発明の開示】
【発明が解決しようとする課題】
【０００４】
バックライト駆動回路では、駆動部はインバータトランスユニット２とフィードバック回路３とで構成される比較的簡易な構成である。そのため、どの機種でも駆動部は同じ構成とすることができる。しかしながら、制御部４は入出力信号のパラメータの違い、及び使用するＩＣの端子数の違いから同一とすることが難しい。そのため、通常は、設計の毎に基板を初めから設計し直す必要があった。特許文献１から３のような制御部と駆動部とが一体となったバックライト駆動回路の構造では、バックライト駆動回路を新設するたびに新たに設計し直す必要があった。
【０００５】
本発明は、上記課題にかんがみてなされたもので、バックライト駆動回路を新たに設計する場合でも、全てを初めから設計し直すのではなく、共通化を図ることでコストを下げることが可能なバックライト駆動回路及び、上記バックライト駆動回路を使用した液晶テレビジョンの提供を目的とする。
【課題を解決するための手段】
【０００６】
上記課題を解決するために、本発明の請求項１にかかる発明では、バックライトを点灯させるバックライト駆動回路において、前記バックライトに電源電圧を供給するインバータトランスユニット、及び前記バックライトに掛かかる電圧又は電流に基づいてフィードバック信号を出力するフィードバック回路とを実装した第一の基板と、前記フィードバック信号に基づいて、前記インバータトランスユニットの駆動を制御する駆動信号を出力する制御部を実装した第二の基板とを有し、前記第一の基板は、前記第二の基板との間で前記フィードバック信号と前記駆動信号とを受け渡す信号接続手段を有し、前記第一の基板と前記第二の基板とは、前記信号接続手段を用いて電気的に接続される構成としてある。  
【０００７】
つまり、本発明に係る技術では、インバータトランスユニットとフィードバック回路とを実装した第一の基板と、制御部を実装させた第二の基板とを信号接続手段を用いて電気的に接続させた構成である。そのため、第二の基板を取り替えるだけで、制御部の異なるバックライト駆動回路に適応することができ、コストを下げることができる。
【０００８】
また、本発明に係る技術では、前記信号接続手段は、接続用スロットであって、前記第二の基板は、前記接続用スロットと接続して、前記フィードバック信号と前記駆動信号とを受け渡す接続用端子を備える構成としてある。
【０００９】
つまり、第一の基板と第二の基板とは、接続用スロットを用いて電気的に接続される。そのため、第二の基板をより簡単に取替えることができる。
【００１０】
そして、前記第二の基板は、前記フィードバック信号に基づいて、前記駆動信号を出力する制御ＩＣと、前記制御ＩＣの入出力パラメータを調整する調整回路とを備える構成としてある。
つまり、第二の基板は制御ＩＣの入出力パラメータを調整する調整回路を備えているため、第一の基板と第二の基板との間でやり取りされる信号のパラメータを調整することでより汎用性を富ませることができる。
【００１１】
そして、本発明に係る技術の具体的な構成として、チューナモジュールが受信した所要のテレビジョン放送信号に基づいて映像を表示する液晶ディスプレイと、前記液晶ディスプレイを背面から照らすバックライトと、前記液晶ディスプレイの背面に配置されるとともに、前記バックライトを点灯させるバックライト駆動回路とを備える液晶テレビジョンにおいて、前記バックライトに電源電圧を供給する他励式
インバータトランスユニット、及び前記バックライトの電圧又は電流に基づいてフィードバック信号を出力するフィードバック回路とを実装した第一の基板と、前記フィードバック信号に基づいて、前記他励式インバータトランスユニットの駆動を制御する駆動信号を出力する制御ＩＣ、及び前記制御ＩＣの入出力パラメータを調整する調整回路とを実装した第二の基板とを有し、前記第一の基板は、前記第二の基板との間で前記フィードバック信号と前記駆動信号とを受け渡す接続用スロットを備え、前記第二の基板は、矩形形状であってその一端に前記フィードバック信号と前記駆動信号とを受け渡す接続用端子を備え、前記接続用スロットに前記接続用端子を接続させて前記第一の基板との間で前記フィードバック信号と前記駆動信号とを受け渡す構成としてある。
【００１２】
上記のように構成された発明では、上述した請求項１から請求項３に記載された発明と同様な作用を奏することはいうまでもない。さらに、本発明では、第二の基板のＩＣ実装面は液晶ディスプレイ８０の背面と対向しないため、液晶ディスプレイからの熱の影響が受けにくくなる。そのため、ＩＣを発熱から守ることとができる。
【発明の効果】
【００１３】
以上説明したように本発明によれば、第二の基板を取り替えるだけで、制御部の異なるバックライト駆動回路に適応することができ、コストを下げることができる。
また請求項２にかかる発明によれば、第二の基板をより簡単に取替えることができる。  そして請求項３にかかる発明によれば、より汎用性を富ませることが可能となる。
さらに請求項４のような、より具体的な構成において、上述した請求項１から請求項３の各発明と同様の作用を奏することはいうまでもない。
【発明を実施するための最良の形態】
【００１４】
以下、下記の順序に従って本発明の実施形態を説明する。
（１）液晶テレビジョンの構成
（２）バックライト駆動回路の構成
（３）バックライト駆動回路の作用・効果
（４）各種変形例
（５）まとめ
【００１５】
（１）液晶テレビジョンの構成 
本発明に係る液晶テレビジョンでは、受信した所要のテレビジョン放送信号に基づいて液晶ディスプレイに画像を表示する。また、液晶テレビジョンでは、液晶ディスプレイをバックライトで背面から照らすことで画像を表示する。バックライトはバックライト駆動回路から電源電圧を供給されて点灯する。本発明に係るバックライト駆動回路では、バックライトを点灯させるバックライト点灯回路を第一の基板と第二の基板とに分割させており、接続用スロットを用いて電気的に接続させることができる。
【００１６】
本発明に係る液晶テレビジョンでは、受信した所要のテレビジョン放送信号に基づいて画像を表示する。図１に示すように、液晶テレビジョン１００は、受像機９０とリモコン装置７０とから構成される。受像機９０は、アンテナ２００が受信したテレビジョン放送信号から所要の周波数帯を受信するチューナモジュール９１と、液晶テレビジョン１００の駆動を制御するメイン制御部９２と、電源を供給する電源回路９４と、取得した所要のテレビジョン放送信号に所定の信号処理を施すディジタル回路９３と、音声を出力する音声出力部９５と、映像を表示する液晶ディスプレイ８０と、液晶ディスプレイ８０を背面から照らすバックライトユニット３０とを備えている。液晶テレビジョン１００では、リモコン装置７０の操作により所要のチャンネルが選択されると、チューナモジュール９１はアンテナ２００が受信したテレビジョン放送信号から選択されたチャンネルに対応した周波数帯を検波する。次に、チューナモジュール９１は、検波したテレビジョン放送信号をデコードして画像信号と音声信号とを取り出す。取り出された画像信号と音声信号とはディジタル回路９３により所定の信号処理を施された後、画像信号を液晶ディスプレイ８０に出力し、音声信号を音声出力部９５に出力する。
【００１７】
本発明に係る液晶テレビジョン１００では、液晶ディスプレイ８０をバックライトで背面から照らすことで画像を表示する。液晶ディスプレイ８０は、画面を構成する画素の光の透過率を変化させて画像を表示する。液晶ディスプレイ８０の画面は、ＲＧＢの各色が塗布された画素をマトリクス状に配置することにより構成される。画素は印加された電圧の強さにより光の透過率を変化させる液晶物質が充填されており、入力された画像信号を各画素に印加することにより光の透過率を変化させる。また、バックライトユニット３０は、電源回路９４から供給された電源電圧によりバックライトを点灯させて、液晶ディスプレイ８０を背面側から照らす。なお、バックライトユニット３０は、液晶ディスプレイ８０の背面側に配置される。
【００１８】
（２）バックライト駆動回路の構成
図２に示すように、バックライトユニット３０は、バックライト駆動回路１０とバックライト２０とから構成される。さらに、バックライト駆動回路１０は、制御部１１と、フィードバック回路１２と、他励式のインバータトランス回路１３と、各回路を接続する接続用スロット１４ａとから構成される。制御部１１は、バックライト駆動回路１０の駆動を制御する制御ＩＣ１１ａと、制御ＩＣ１１ａの入出力信号のパラメータを調整する調整回路１１ｂとを備えている。インバータトランス回路１３は、電源回路９４から電源電圧を受付ける入力端子Ｖｉｎと、電源電圧をバックライトに印加するトランスＴと、トランスＴからバックライト２０へ印加される電源電圧の極性を反転させるスイッチング素子Ｑ１，Ｑ２とを備えたインバータ回路１３ａとから構成されている。フィードバック回路１２は、バックライト２０の電圧値と電流値とを比較する比較器を備えている。
【００１９】
インバータトランス回路１３の入力端子Ｖｉｎに電源回路９４から電源電圧が供給され、且つメイン制御部９２から制御部１１にバックライト点灯信号が入力されると、制御部１１はインバータ回路１３ａのスイッチング素子Ｑ１，Ｑ２のベースに駆動信号を出力する。これによりスイッチング素子Ｑ１，Ｑ２は発振し、トランスＴに印加された電源電圧の極性を反転させる。このため、トランスＴの二次巻線と接続した冷陰極管２０ａには、所定周期で極性が異なる電源電圧が印加され点灯を開始する。また、フィードバック回路１２は、バックライト２０の電圧値と電流値とを随時検出している。そのため、比較器に入力されたバックライト２０の電源又は電圧が上昇又は下降した場合は、フィードバック回路１２は制御部１１にフィードバック信号を出力する。制御部１１はフィードバック信号を受信すると、スイッチング素子Ｑ１，Ｑ２の発振を調整してバックライト２０の電源電圧を一定にする。
【００２０】
図３に示すように、本発明に係るバックライト駆動回路では、インバータトランスユニットとフィードバック回路とは第一の基板１４に実装され、制御部１１は第二の基板１５に実装される。第一の基板１４には、第二の基板１５が接続される接続用スロット１４ａ（信号接続手段）が実装されている。第二の基板１５は、接続用スロット１４ａと接続する接続用端子１５ａを備えている。接続用スロット１４ａと接続用端子１５ａとは、フィードバック回路１２から出力されるフィードバック信号と、制御部１１から出力される駆動信号と、更にはメイン制御部９２から出力される点灯開始信号とを第一の基板と第二の基板との間で受け渡す。つまり、フィードバック回路１２から出力されるフィードバック信号は、接続用スロット１４ａから接続用端子１５ａを流れることで第二の基板１５に実装された制御部１１に出力される。また、制御部１１から出力される駆動信号は接続用端子１５ａから接続用スロット１４ａを流れ、第一の基板のインバータトランス回路１３に出力される。さらに、メイン制御部９２から出力される点灯開始信号は、一度、第一の基板１４に中継された後、接続用スロット１４ａから接続用端子１５ａへ流れることで、第二の基板１５の制御部１１に出力される。
【００２１】
また、第一の基板１４と第二の基板１５との間の入出力信号のパラメータは、調整回路１１ｂで調整される。例えば、第一の基板１４と第二の基板１５との間で受け渡される信号の電圧値や周波数が異なる場合、調整回路１１ｂを調整することにより電圧値や周波数の調整を行う。
【００２２】
第二の基板１５は、制御部１１をノイズから保護するために基板パターンが工夫されている。第一の基板１４では、スイッチング素子Ｑ１，Ｑ２の発振によりノイズが発生するため、第二の基板１５は、制御ＩＣ１１ａをノイズから保護する必要がある。その具体的な一例として、本発明に係る第二の基板１５では、制御ＩＣ１１が実装された領域の周囲をグランドＧで囲むことで、ノイズによる制御ＩＣ１１の影響を低減させている。通常、制御部１１とスイッチング素子Ｑ１，Ｑ２とを一つの基板上に実装した場合、基板の配置スペースを考慮しながらノイズ対策を施す必要が生じる。そのため、十分なグランドを配置するために基板が大きくなりすぎたり、逆に基板を小さくするために十分なノイズ対策ができない場合がある。しかしながら、本発明に係るバックライト駆動回路１０では、制御部１１を第二の基板１５に集約させることにより、それら諸問題を解決することができる。つまり、第二の基板１５側にノイズ対策を施すことで、第一の基板１４側は配置スペースを考慮することなく設計することができる。
【００２３】
（３）バックライト駆動回路の作用・効果
本発明に係るバックライト駆動回路１０では、第二の基板１５を取り替えることにより、制御部１１が異なるバックライト駆動回路１０にも使用することができる。例えば、制御部１１が異なるだけで、他の構成要素が同一のバックライト駆動回路がある場合、第二の基板１５を取り替えることで第一の基板１４を流用することができる。このとき、第一の基板１４と第二の基板１５との間の入出力信号のパラメータは調整回路１１ｂを調整することにより調整する。これにより、バックライト駆動回路１０の大部分を流用することができ、コストを下げることができる。
【００２４】
また、ノイズの対策を施す必要がある制御ＩＣ１１ａ周りを第二の基板１５に集約するため、ノイズ対策を第二の基板だけに施せばよい。つまり、一つの基板上でノイズを対策するのに比べ、制御ＩＣ１１ａを集約させた第二の基板１５だけにノイズの対策を施せばよく、結果としてコストを下げることができる。さらに、第二の基板１５は、液晶ディスプレイ８０から離されて配置されるため、液晶ディスプレイ８０からの発熱の影響を受けにくい。第二の基板１５は、第一の基板１４から直立させた状態で接続されている。そのため、液晶ディスプレイ８０の背面側に配置した場合、第二の基板１５のＩＣ実装面の裏側は液晶ディスプレイ８０の背面と対向しないため熱の影響が受けにくくなる。
【００２５】
（４）各種変形例
本発明に係るバックライト駆動回路は様々な変形例が存在する。
第一の基板と第二の基板をコネクタピンを用いて接続するものであってもよい。
また、フィードバック回路１２がバックライト２０の電圧値または電流値のどちらか一方を検出するものであってもよい。
【００２６】
（５）まとめ
本発明に係る液晶テレビジョンでは、受信した所要のテレビジョン放送信号に基づいて液晶ディスプレイ８０に画像を表示する。また、液晶テレビジョン１００では、液晶ディスプレイ８０をバックライトユニット３０で背面から照らすことで画像を表示する。バックライトユニット３０では、バックライト駆動回路１０から供給された電源電圧でバックライト４０を点灯させる。本発明に係るバックライト駆動回路１０では、バックライト駆動回路１０を第一の基板と第二の基板とに分割させ、接続用スロットを用いて電気的に接続させている。
【００２７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００２８】
【図１】一例としての液晶テレビジョンのブロック構成図である。
【図２】一例としてのバックライトユニットを示すブロック構成図である。
【図３】一例としてのバックライトユニットを示す斜視図である。
【図４】従来のバックライトユニットを示すブロック構成図である。
【符号の説明】
【００２９】
１０…バックライト駆動回路、１１…制御部、１１ａ…制御ＩＣ、１１ｂ…調整回路、１２…フィードバック回路、１３…インバータトランス回路、１３ａ…インバータ回路、１４…第一の基板、１４ａ…接続用スロット、１５…第二の基板、１５ａ…接続用端子、２０…バックライト、２０ａ…冷陰極管、３０…バックライトユニット、８０…液晶ディスプレイ、１００…液晶テレビジョン
【図１】
2008287908.tif 000003
【図２】
2008287908.tif 000004
【図３】
2008287908.tif 000005
【図４】
2008287908.tif 000006